(57)【要約】【課題】  獣医師の身体的負担を軽減できると共に、Ｘ線透視を行う場合においても患者動物を移動する必要がない獣医科用手術台を提供すること。【解決手段】  獣医科用手術台１０は、二重天板ユニットの下部天板２３の中心から偏心した位置に設けた垂直軸受６０を中心として上部天板２１が偏心回転するので、上部天板２１を所定角度まで回転させたときに、上部天板２１の下方に何もない空間ができる。したがって、この状態において、患者動物を上部天板２１に載置し、移動式Ｘ線透視診断装置のＣアームの先端部を患者動物の上方及び下方に位置させることによって、Ｘ線透視を行うことが容易になる。また、上部天板２１を回転させると、上部天板２１と重なり合っていた下部天板２３が現れてくるので、下部天板２３上に手術や処置に必要な器具等を置くことができ、獣医師の作業効率を向上することができる。【選択図】  図４
2015204993.tif 000002
【特許請求の範囲】
【請求項１】
患者動物を載置可能であると共に、Ｘ線透過性の高い材料で形成された上部天板と、
該上部天板の下方に設けられた下部天板と、
該下部天板及び前記上部天板に対して直接的又は間接的に接続されると共に、前記下部天板及び前記上部天板の中心に対して偏心している垂直軸を中心として前記上部天板を偏心回転可能に支持するように設けられた垂直軸受とを有することを特徴とする獣医科用手術台。
【請求項２】
さらに、前記上部天板が固定された上部枠と、
前記上部天板の下面側に設けられると共に前記上部枠に固定された上部支持板材と、
前記下部天板が固定された下部枠と、
前記下部天板の下面側に設けられると共に前記下部枠に固定された下部支持板材とを有し、
前記垂直軸受は、前記上部支持板材と前記下部支持板材に対して接続されていることを特徴とする請求項１に記載の獣医科用手術台。
【請求項３】
前記上部支持板材は、前記下部天板の上面に接した状態で設けられ、
前記下部天板は、前記上部天板が回転するときに、前記上部支持板材を前記垂直軸受と共に支持することによって前記上部天板を間接的に支持していることを特徴とする請求項２に記載の獣医科用手術台。
【請求項４】
前記上部枠は、前記下部天板の上面に接した状態で設けられ、
前記下部天板は、前記上部天板が回転するときに、前記上部枠を支持することによって前記上部天板を間接的に支持していることを特徴とする請求項２又は請求項３に記載の獣医科用手術台。
【請求項５】
さらに、前記上部天板に対して着脱可能であると共に、伸縮可能な支持脚を有することを特徴とする請求項１ないし請求項４のいずれか一項に記載の獣医科用手術台。
【請求項６】
前記上部天板及び前記下部天板は、略長円形状又は略楕円形状に形成されていることを特徴とする請求項１ないし請求項５のいずれか一項に記載の獣医科用手術台。
【請求項７】
さらに、複数本の伸縮脚と、
該伸縮脚に支持された水平枠を有し、
前記下部枠は、前記水平枠に対して着脱可能に支持されていることを特徴とする請求項２ないし請求項６のいずれか一項に記載の獣医科用手術台。
【請求項８】
さらに、前記伸縮脚と前記水平枠との間に介在すると共に、前記水平枠を水平軸を中心として回転可能に支持する複数の水平軸受を有することを特徴とする請求項７に記載の獣医科用手術台。
【発明の詳細な説明】
【技術分野】
【０００１】
本発明は、獣医科用手術台に関し、特に獣医師が動物に対して、手術や各種の処置を行うための獣医科用手術台に関する。
【背景技術】
【０００２】
獣医科用手術台は、患者動物を載置した状態で、手術や手術の準備、各種の処置を行うものであるが、獣医師の作業負担を軽減するために天板等に対して様々な発明がなされている。
【０００３】
図１１は、従来技術に係る診療台の一例を示す斜視図である。図１１において、８０は診療台、８１は基台、８２は診療テーブル、８３は昇降機構、８４はフットスイッチ、８５はベース基板、８６は回転ペダル、８７は体重計表示部である。図１１は、特開平９−６６０６７公報において開示されている獣医科用手術台である。診察台８０は、診療テーブル８２の上で獣医師が診断や処置を行うものである。また、診察台８０は、ベース基台８５上に基台８１を設け、基台８１上に診療テーブル８２を上下動させる昇降機構８３を設けている。フットスイッチ８４の操作によって診療テーブル８２を患者動物が乗り降りできる高さまで下げることができる。さらに、基台８１は、回転可能に設けられており、回転ペダル８６を操作することによって回転し、作業しやすい状態にすることができる。また、診察台８０は、体重計を内蔵しており、体重計表示部８７に患者動物の体重が表示される。
【０００４】
以上の従来技術のように、患者動物を載せる天板を自在に昇降及び回転できると、獣医師が患者動物を抱え上げたり、天板の周囲を移動しながら処置を行ったりする必要がないので、獣医師の身体的負担が軽減される。また、患者動物を体重計に載せる必要もないのでさらに利便性が向上する。さらに、体重計を設置するスペースや、診察台の周囲に獣医師が移動するためのスペースを確保する必要がない。この従来技術の構成は手術台にも適用できるが、例えば患者動物の骨折治療を行う場合には、以下のようなことが別の課題として浮上してくる。すなわち、骨折治療を行う場合、Ｃアームと呼ばれている移動式Ｘ線透視診断装置を使って、モニターで骨折箇所の透視画像を見ながら創外固定器具の装着することなどが一般的に行われている。移動式Ｘ線透視診断装置は、Ｃアームの通称の通り、アームがＣ字状を呈しており、このアームの２つの先端部を患者動物の上方と下方に位置させた状態で患者動物の透視画像を得るものである。上述の従来技術の構成では、アームの先端部を患者動物の下方に位置させる上で昇降機構８３が障害となってしまうので、移動式Ｘ線透視診断装置を使用する際には患者動物を別の台に移動させる必要がある。くわえて、別の台を配置するためのスペースも必要になる。
【先行技術文献】
【特許文献】
【０００５】
【特許文献１】特開平９−６６０６７公報
【発明の概要】
【発明が解決しようとする課題】
【０００６】
本発明は、上記課題を解決するために、獣医師の身体的負担を軽減できると共に、Ｘ線透視を行う場合においても患者動物を移動する必要がない獣医科用手術台を提供することを目的とする。
【課題を解決するための手段】
【０００７】
請求項１に記載の発明は、患者動物を載置可能であると共に、患者動物を載置可能であると共に、Ｘ線透過性の高い材料で形成された上部天板と、該上部天板の下方に設けられた下部天板と、該下部天板及び前記上部天板に対して直接的又は間接的に接続されると共に、前記下部天板及び前記上部天板の中心に対して偏心している垂直軸を中心として前記上部天板を偏心回転可能に支持するように設けられた垂直軸受とを有することを特徴とする獣医科用手術台である。
【０００８】
請求項２に記載の発明は、請求項１に記載の発明において、さらに、前記上部天板が固定された上部枠と、前記上部天板の下面側に設けられると共に前記上部枠に固定された上部支持板材と、前記下部天板が固定された下部枠と、前記下部天板の下面側に設けられると共に前記下部枠に固定された下部支持板材とを有し、前記垂直軸受は、前記上部支持板材と前記下部支持板材に対して接続されていることを特徴とする獣医科用手術台である。
【０００９】
請求項３に記載の発明は、請求項２に記載の発明において、前記上部支持板材は、前記下部天板の上面に接した状態で設けられ、前記下部天板は、前記上部天板が回転するときに、前記上部支持板材を前記垂直軸受と共に支持することによって前記上部天板を間接的に支持していることを特徴とする獣医科用手術台である。
【００１０】
請求項４に記載の発明は、請求項２又は請求項３に記載の発明において、前記上部枠は、前記下部天板の上面に接した状態で設けられ、前記下部天板は、前記上部天板が回転するときに、前記上部枠を支持することによって前記上部天板を間接的に支持していることを特徴とする獣医科用手術台である。
【００１１】
請求項５に記載の発明は、請求項１ないし請求項４のいずれか一項に記載の発明において、さらに、前記上部天板に対して着脱可能であると共に、伸縮可能な支持脚を有することを特徴とする獣医科用手術台である。
【００１２】
請求項６に記載の発明は、請求項１ないし請求項５のいずれか一項に記載の発明において、前記上部天板及び前記下部天板は、略長円形状又は略楕円形状に形成されていることを特徴とする獣医科用手術台である。
【００１３】
請求項７に記載の発明は、請求項２ないし請求項６のいずれか一項に記載の発明において、さらに、複数本の伸縮脚と、該伸縮脚に支持された水平枠を有し、前記下部枠は、前記水平枠に対して着脱可能に支持されていることを特徴とする獣医科用手術台である。
【００１４】
請求項８に記載の発明は、請求項７に記載の発明において、さらに、前記伸縮脚と前記水平枠との間に介在すると共に、前記水平枠を水平軸を中心として回転可能に支持する複数の水平軸受を有することを特徴とする獣医科用手術台である。
【発明の効果】
【００１５】
請求項１に記載の発明によれば、下部天板及び上部天板の中心に対して偏心している垂直軸を中心として上部天板を偏心回転させるので、上部天板を所定の角度範囲回転させたときに、下部天板など他の構成部材が存在しない空間が上部天板の下方にできる。したがって、この状態において、患者動物を上部天板に載置し、移動式Ｘ線透視診断装置のＣアームの先端部を患者動物の上方及び下方に位置させることによって、Ｘ線透視を行うことができる。
【００１６】
請求項２に記載の発明によれば、上部天板及び下部天板に対して垂直軸受を直接的に固定する必要がないので、上部天板及び下部天板の上面からねじが突出して、患者動物の体毛がそのねじに引掛かることなどを防止することができる。
【００１７】
請求項３に記載の発明によれば、垂直軸受だけでなく、下部天板自体も上部天板を支持するので、上部天板に大型犬など比較的体重が重い動物を載置した場合であっても、上部天板が傾斜することを防止できる、又は、傾斜を低減できる。
【００１８】
請求項４に記載の発明によれば、垂直軸受だけでなく、下部天板自体も上部枠を介して上部天板を支持するので、上部天板に大型犬など比較的体重が重い動物を載置した場合であっても、上部天板が傾斜することを防止できる、又は、傾斜を低減できる。
【００１９】
請求項５に記載の発明によれば、上部天板に大型犬など比較的体重が重い動物を載置した場合に、支持脚を伸ばし、上部天板や患者動物からの荷重を支持脚でも支持することによって、上部天板が傾斜することをさらに確実に防止できる。
【００２０】
請求項６に記載の発明によれば、上部天板及び下部天板を略長円形状又は略楕円形状に形成することによって、獣医師が上部天板及び下部天板の周囲を移動するときに天板の角で移動が阻害されることがない。
【００２１】
請求項７に記載の発明によれば、上部天板及び下部天板を着脱できるので、これらの洗浄や各種メンテナンス作業が容易になる。
【００２２】
請求項８に記載の発明によれば、上部天板及び下部天板を昇降させ、又は、所定の角度に傾斜させることができ、患者動物の体幹部などを所定の方向に向けて保定することが容易になり、獣医師の負担を軽減できる。
【図面の簡単な説明】
【００２３】
【図１】実施の形態に係る獣医科用手術台を示す正面図である。
【図２】実施の形態に係る獣医科用手術台を示す右側面図である。
【図３】実施の形態に係る獣医科用手術台を示す左側面図である。
【図４】実施の形態に係る獣医科用手術台を示す平面図である。
【図５】上部天板を回転した状態を示す平面図（１）であり、（ａ）は反時計回りに４５度回転した状態、（ｂ）は反時計回りに９０度回転した状態である。
【図６】上部天板を回転した状態を示す平面図（２）であり、（ａ）は時計回りに４５度回転した状態、（ｂ）は時計回りに９０度回転した状態である。
【図７】上部天板を回転した状態を示す平面図（３）であり、１８０度回転した状態である。
【図８】上部天板から回転した状態を示す正面図であり、（ａ）は反時計回りに９０度回転した状態、（ｂ）は時計回りに９０度回転した状態である。
【図９】上部天板から支持脚を取り外した状態を示す正面図であり、（ａ）は上部天板を反時計回りに９０度回転した状態、（ｂ）は上部天板を反時計回りに９０度回転してさらに傾斜させた状態である。
【図１０】垂直軸受とその周辺部分の部分拡大断面図である。
【図１１】従来技術に係る診療台の一例を示す斜視図である。
【発明を実施するための形態】
【００２４】
図１は、実施の形態に係る獣医科用手術台を示す正面図である。図１において、１０は獣医科用手術台、２０は二重天板ユニット、２１は上部天板、２２は上部枠、２３は下部天板、２４は下部枠、２５はロックレバー、２７は矩形水平枠、２７ａ及び２７ｂは長辺部、２８ａ及び２８ｂは支柱材、２９ａ及び２９ｂは固定ねじ、３０及び３１は伸縮脚、３２は梁材、３３及び３４は水平軸受、３５は載置板、３５ａは容器保持開口部、３６及び３７は脚接続部材、３８及び３９は枠部材、４０及び４１は伸縮機構、４２及び４３はアクチュエータ、４４ａ及び４４ｂは支持部材、４５ａ及び４５ｂはキャスタ、４６は汚物容器、５０は支持脚、５１は上部支柱材、５２は下部支柱材、５３はボールキャスタ、５４はクランプ、５５は上部接続板材、５９ａ及び５９ｂはロープ固定具である。また、図２は、実施の形態に係る獣医科用手術台を示す右側面図である。図２において、２７ｃ及び２７ｄは短辺部、２８ｃ及び２８ｄは支柱材、２９ｃ及び２９ｄは固定ねじ、４５ｃ及び４５ｄはキャスタであり、その他の符号は図１と同じものを示す。さらに、図３は、実施の形態に係る獣医科用手術台を示す平面図である。図３において用いた符号は、すべて図１及び図２と同じものを示す。くわえて、図４は、実施の形態に係る獣医科用手術台を示す平面図である。図４において、２２ａは内周側部分、２２ｂは外周側部分、２６は上部支持板材、２６ａ及び２６ｂは円形開口部、５６、５７及び６５はねじであり、その他の符号は図１と同じものを示す。なお、図１、図２及び図３においては、排水チューブや電源コードなど、本発明の発明を説明する上で必要性が薄い細部の構成を省略した。
【００２５】
本発明の実施の形態に係る獣医科用手術台１０は、上部天板２１と下部天板２３とを備えた二重天板ユニット２０によって、移動式Ｘ線透視診断装置の使用を容易にすると共に、上部天板２１と下部天板２３とを同時に使用することによって、動物病院内の限られたスペースを多様な局面で利用できるようにすることを実現するものである。以下に、本発明の実施の形態に係る獣医科用手術台の全体構成の概略を具体的に説明する。また、図１及び図２に示すように、図示していないコントローラによって、選択的に伸縮可能な伸縮脚３０と伸縮脚３１との２本の脚の上端部に梁材３２を掛け渡している。また、伸縮脚３０と伸縮脚３１との下端部には、獣医科用手術台１０の移動を容易にするために、キャスタ４５ａ及び４５ｃとキャスタ４５ｂ及び４５ｄが設けられている。
【００２６】
また、伸縮脚３０と伸縮脚３１との下端部近傍には、脚接続部材３６と脚接続部材３７とをそれぞれ接続しており、さらに脚接続部材３６と脚接続部材３７とは枠部材３８及び３９とによって互いに接続されている。このように、伸縮脚３０と伸縮脚３１との間に、梁材３２と、脚接続部材３６及び３７、枠部材３８及び３９を設けた構造は、梁材３２の上に設ける矩形水平枠２７、二重天板ユニット２０などを支持している。なお、伸縮脚３０と伸縮脚３１に代えて、それぞれ２本ずつ、合計４本の伸縮脚を設け、２本ずつ２組の脚が同調して伸縮する構成にしてもよい。くわえて、梁材３２の両端部には、水平軸受３３と水平軸受３４とが設けられている。水平軸受３３と水平軸受３４とは、矩形水平枠２７に接続されており、矩形水平枠２７をその長手方向、つまり水平軸に対して回転可能な状態で支持している。
【００２７】
二重天板ユニット２０は、図４に示すように、上部天板２１と下部天板２３とは，平面視において略長円形状に形成されている。略長円形状とすることによって、獣医師が上部天板２１又は下部天板２３の周辺を移動して手術や処置を行う際に、天板の角で移動を阻害されることがないという利点がある。なお、上部天板２１及び下部天板２３を略楕円形状に形成しても同様の利点が得られるが、上部枠２２及び下部枠２４を全て曲線状に形成する必要があるなど製造コストの点でやや不利になるので、略長円形状とする方が望ましいと言える。また、長手方向において、上部天板２１の方が下部天板２３よりもやや長く形成されている。これは、図１に示すように、下部天板２３よりもやや長く形成することによって、支持脚５０を装着したままの状態で上部天板２１と下部天板２３とを重ね合わせることが可能となることによる。また、上部天板２１は、図１に示したロックレバー２５を操作することによって、回転を規制する、又は、規制を解除することができる。
【００２８】
上部天板２１は、患者動物を載置した状態で移動式Ｘ線透視診断装置による透視を行うためにアクリル板で形成されている。なお、Ｘ線透視性の高いガラスやアクリル以外の樹脂で形成してもよいが、上部天板２１の情報からアームの先端部の位置を視認できることから透明又は透明に近い材質であることが好ましい。上部枠２２は、内周側部分２２ａが外周側部分２２ｂよりも一段低い平坦面として形成されており、内周側部分２２ａと外周側部分２２ｂとの段差部に上部天板２１が挿入されている。また、上部天板２１は、内周側部分２２ａにたいして、所定間隔で配置したねじ５６によって固定されている。くわえて、上部天板２１の下方には上部支持板材２６が設けられている。上部支持板材２６は、上部枠２２に対して固定されており、上部枠２２を支持している。なお、上部支持板材２６は、上部天板２１に対しては接続されておらず、接触もしていない。また、軽量化のために、円形開口部２６ａ及び２６ｂを設けている。また、図１及び図４に示すように、上部枠２２の上部支持板材２６に固定されている側と反対側の端部の下面には上部接続板材５５が設けられている。上部接続板材５５は、支持脚５０を二重天板ユニット２０に対して間接的に固定するためのものである。すなわち、支持脚５０の上部支柱材５１の上端部に設けた図示してないねじを上部接続板材５５にねじ込むことによって、支持脚５０が上部接続板材５５に固定される。また、支持脚５０の長さは、クランプ５４を緩めることによって下部支柱材５２を適当な長さだけ引き出し、次にクランプ５４を締めることによって簡単に調整できる。
【００２９】
下部天板２３は、図１及び図４に示すように、下部枠２４上に配置されており、所定間隔で配置したねじ６５によって下部枠２４に固定されている。また、下部天板２３は、滑らかな表面を持つ樹脂板から形成されており、上部枠２２と軽く接した状態に設けられている。したがって、上部天板２１に患者動物を載置した場合は、上部枠２２を介して係る患者動物及び上部天板２１からの荷重を後述する垂直軸受と共に支持することになる。
【００３０】
さらに、上部天板２１の支持構造と回転状態について説明する。図５は、上部天板を回転した状態を示す平面図（１）であり、（ａ）は反時計回りに４５度回転した状態、（ｂ）は反時計回りに９０度回転した状態である。図５において用いた符号は、すべて図４と同じものを示す。また、図６は、上部天板を回転した状態を示す平面図（２）であり、（ａ）は時計回りに４５度回転した状態、（ｂ）は時計回りに９０度回転した状態である。図６において用いた符号は、すべて図４と同じものを示す。さらに、図７は、上部天板を回転した状態を示す平面図（３）であり、１８０度回転した状態した状態である。図７において用いた符号は、すべて図４と同じものを示す。くわえて、図１０は、垂直軸受とその周辺部分の部分拡大断面図である。図１０において、５８は下部支持板材、６０は垂直軸受、６１は内輪、６２は外輪、６３はボールころ、６４はねじであり、その他の符号は図１と同じものを示す。
【００３１】
まず、上部天板２１の支持を支持する垂直軸受と周辺構造について説明する。図１０に示すように、下部天板２３には長手方向に直交する方向における長さに近い大きな円形状の開口部が形成されており、この開口部に垂直軸受６０が嵌合されている。また、下部天板２３の下面側の下部枠２４に囲まれた領域には、下部支持板材５８が設けられている。下部支持板材５８は、下部枠２４に固定されており、さらに垂直軸受６０の外輪６２が所定間隔に配置されたねじ６４によって固定されている。また、上部天板２１の下面側の上部枠２２に囲まれた領域には、前述の上部支持板材２６が固定されており、さらに垂直軸受６０の内輪６１が所定間隔に配置されたねじ５７にとって上部支持板材２６に固定されている。垂直軸受６０、内輪６１と外輪６２との間に介在するボールころ６３によって、垂直軸を中心にいて互いに自在に回転する。また、上部支持板材２６の周辺部は、下部天板２３の上面に接している。したがって、上部天板２１は、上部枠２２と上部支持板材２６を介して垂直軸受６０によって垂直軸を中心として左右に回転可能に支持されている。よって、上部天板２１、上部枠２２及び上部支持板材２６と、上部天板２１に載置した患者動物等の荷重は、主に垂直軸受６０によって支持されるが、下部天板２３も支持している。
【００３２】
以上の構成によれば、図５に示すように、上部天板２１を反時計回りに４５度、さらに９０度と回転すると、上部天板２１の中心から離れたところに位置する垂直軸受６０を中心として偏心回転する。また、図６に示すように、上部天板２１を時計回りに４５度、さらに９０度と偏心回転することも可能である。くわえて、反時計回り、時計回りのいずれの方向からも、図７に示すように、１８０度回転させることも可能である。獣医科用手術台１０は、患者動物を載置した上部天板２１を３６０度いずれの方向にも回転できるので、移動式Ｘ線透視診断装置を移動する距離が短くなり、移動式Ｘ線透視診断装置の使用が非常に容易になる。くわえて、上部枠２２の上部接続板材５５から支持脚５０を取り外すと、上部天板２１の下方には構造材が何も存在しない状態となる。したがって、上部枠２２よりも高さが低いものは、上部天板２１の回転領域内に置くことが可能である。また、患者動物のストレッチャへの移載も非常に容易になる。また、移動式Ｘ線透視診断装置などの配置の自由度が拡がるという利点もある。また、手術時には、下部天板２３の上に各種の器具を載置することもできるので、器具を載置するための台やカートを別途用意する必要がない。
【００３３】
続けて、支持脚５０の使用方法について説明する。図８は、上部天板から回転した状態を示す正面図であり、（ａ）は反時計回りに９０度回転した状態、（ｂ）は時計回りに９０度回転した状態である。図８において、６６は床面であり、その他の符号は図１と同じものを示す。
【００３４】
上部天板２１は例えば患者動物が大型犬など特に体重が大きい場合、上部天板２１を下部天板２３に対して９０度又はそれ以上の角度回転させたときに、僅かに傾斜を生じることが考えられる。そこで、このような場合に、あらかじめ支持脚５０のクランプ５４を緩めて下部支柱材５２を引き出し、床面６６に接したらクランプ５４を再び締め、例えば図８（ａ）又は（ｂ）に示す位置まで上部天板２１を回転させる。下部支柱材５２の下端部には、ボールキャスタ５３を設けているので、上部天板２１をスムーズに回転させることができる。また、支持脚５０は、上部天板２１の長手方向の端部を支持しているので、移動式Ｘ線透視診断装置による透視を行う際に、移動式Ｘ線透視診断装置の移動を阻害しない。さらに、ボールキャスタ５３は、車輪キャスタよりもはるかに小型なので、キャスタが周辺の機器に干渉して上部天板２１の回転が阻害されることを低減できる。
【００３５】
さらに、獣医科用手術台１０の他の構成について説明する。また、図９は、上部天板から支持脚を取り外した状態を示す正面図であり、（ａ）は上部天板を反時計回りに９０度回転した状態、（ｂ）は上部天板を反時計回りに９０度回転してさらに傾斜させた状態である。図９において用いた符号は、すべて図１及び図３と同じものを示す。
【００３６】
二重天板ユニット２０は、図１に示した矩形水平枠２７に対して着脱可能である。前述のように、矩形水平枠２７は、選択的に伸縮可能なアクチュエータ４２の伸縮機構４０と、アクチュエータ４３の伸縮機構４１が接続されている。また、図示していないコントローラによって、伸縮機構４０と伸縮機構４１をそれぞれ個別に伸張させることができる。したがって、図９に示すように、上部天板２１を回転させた後に。コントローラを操作し、矩形水平枠２７及び二重天板ユニット２０を矩形水平枠２７の長手方向に平行な水平軸を中心に回転させて、上部天板２１を傾斜させることが可能である。なお、上部天板２１を傾斜させる際には、周辺の機器に支持脚５０が衝突しないように、支持脚５０をあらかじめ取り外しておくことが望ましい。
【００３７】
さらに、獣医科用手術台１０は、伸縮脚３０と伸縮脚３１とを選択的に駆動させることによって二重天板ユニット２０を傾斜させることができる。言い換えると、獣医科用手術台１０は、アクチュエータ４２及び４３の操作によって上部天板２１を長手方向において傾斜させることが可能であり、さらに上部天板２１を反時計回り又は時計回りに９０度回転させた後にアクチュエータ４２及び４３を操作すると、上部天板２１を長手方向に直交する方向おいて傾斜させることも可能である。くわえて、伸縮脚３０及び３１を操作することによっても、上部天板２１を長手方向、及び、長手方向に直交する方向おいて傾斜させることもできる。また、上部天板２１を２方向に対して同時に傾斜させることも可能である。もちろん、下部天板２３も同様に傾斜させることが可能である。なお、この実施の形態に係る獣医科用手術台１０は、アクチュエータ４２及び４３と、伸縮脚３０及び３１との両方の手段において上部天板２１を傾斜できる構成としているが、いずれか一方のみの手段で傾斜できる構成してもよい。ただし、獣医科用手術台１０の機動性を高める観点からは、両方の手段によって傾斜できる構成が最も望ましい。
【００３８】
図１及び図２に基づいてさらに説明する。二重天板ユニット２０は、メンテナンス性を向上するために、矩形水平枠２７に対して着脱可能に設けられている。すなわち、二重天板ユニット２０の下部枠２４に設けられた支柱材２８ａ、２８ｂ、２８ｃ及び２８ｄが矩形水平枠２７に対してねじ止めされており、ねじを緩めることによって、支柱材２８ａ、２８ｂ、２８ｃ及び２８ｄを矩形水平枠２７から取り外すことが可能である。伸縮脚３０と伸縮脚３１とは、前述のように、二重天板ユニット２０の長手方向に配列されており、それぞれ薄い矩形箱状を呈するように形成されている。伸縮脚３０と伸縮脚３１との下端部には、脚接続部材３６と脚接続部材３７とがそれぞれ接続されている。脚接続部材３６と脚接続部材３７とには、獣医科用手術台１０を自在に移動できるように、キャスタ４５ａ及び４５ｃと、キャスタ４５ｂ及び４５ｄとがそれぞれ設けられている。また、伸縮脚３０と伸縮脚３１とは、内部に図示していない伸縮部がそれぞれ設けられており、同じく内部に設けられた図示していないアクチュエータによって自在に伸縮できるように構成されている。伸縮脚３０と伸縮脚３１との上端部には、梁材３２が接続されている。また、伸縮脚３０と伸縮脚３１との上端部は梁材３２の内部に設けた図示していない回転軸に対して接続されている。
【００３９】
また、脚接続部材３６と脚接続部材３７とは、枠部材３８と枠部材３９とによって連結されている。枠部材３８と枠部材３９とは、二重天板ユニット２０の下部枠２４の長手方向に対して平行となるように設けられている。さらに、手前側に枠部材３８が配置され、奥側に枠部材３９が配置されており、脚接続部材３６、脚接続部材３７、枠部材３８及び枠部材３９によって矩形の枠体を構成している。この矩形の枠体の内部には載置板３５が設けられており、吸引器などを載置することが可能である。さらに、図１及び図２に戻って説明する。載置板３５には、略円形状の容器保持開口部３５ａが形成されており、容器保持開口部３５ａに汚物容器４６を挿入した状態で配置する。汚物容器４６は、使用済みのガーゼや脱脂綿などを一時的に廃棄するものであり、汚水を貯留することも可能である。
【００４０】
さらに、梁材３２の中央には、アクチュエータ４２の伸縮機構４０及びアクチュエータ４３の伸縮機構４１の下端部を支持するための支持部材４４ａ及び４４ｂを設けている。くわえて、梁材３２の両端部には、水平軸受３３及び３４が設けられている。水平軸受３３と水平軸受３４は、矩形水平枠２７の短辺部２７ｄと短辺部２７ｃとに接続されており、矩形水平枠２７を長手方向に平行な水平軸に対して回転可能、つまり、二重天板ユニット２０の下部枠２４の長手方向に平行な水平軸を中心として回転可能にしている。矩形水平枠２７は、二重天板ユニット２０の下部枠２４の長手方向に平行な長辺部２７ａ及び２７ｂと、長手方向に直交する短辺部２７ｃ及び２７ｄとからなる矩形の枠であり、通常は水平状態に保たれている。アクチュエータ４２を駆動すると、伸縮機構４０が図１において手前側にある矩形水平枠２７の長辺部２７ａを上方に押し上げる。また、アクチュエータ４３を駆動すると、伸縮機構４１が図１において奥側にある矩形水平枠２７の長辺部２７ｂを上方に押し上げる。以上のように、アクチュエータ４２及び４３を二重天板ユニット２０の下部天板２３などを直接押し上げるのではなく、矩形水平枠２７を介して押し上げるので、下部天板２３などの肉厚をアクチュエータ４２及び４３からの押圧力を考慮することなく決定できる。なお、この実施の形態に係る獣医科用手術台１０では、アクチュエータ４２及び４３は電動式のものを想定しているが、エアシリンダや油圧シリンダなど他方式のものを採用してもよい。
【００４１】
また、矩形水平枠２７は、二重天板ユニット２０を支持する支持部材であると共に、かつ、ロープ固定具５９ａ及び５９ｂなどの固定具や、図示してないチューブ保持具などを摺動可能な状態で支持するレール部材を兼ねている。したがって、保定ロープや、吸引チューブ、電源コートなどの紐状物を保持できるので、診察中や手術中にこれらのものを手で支持したり、結束したりする必要がなく、獣医師や動物看護師などの身体的負担を軽減できる。さらに矩形水平枠２７の長辺部２７ａと長辺部２７ｂとには、固定ねじ２９ａ及び２９ｂと固定ねじ２９ｃ及び２９ｄとが設けられている。固定ねじ２９ａ、２９ｂ、２９ｃ及び２９ｄは、支柱材２８ａ、２８ｂ、２８ｃ及び２８ｄを矩形水平枠２７に固定するものであり、これらの固定ねじを緩めることによって、二重天板ユニット２０を上方に持ち上げて矩形水平枠２７から離脱することができる。従来技術においては、手術台の天板を着脱することができなかったので天板の洗浄などが行いにくく、作業する者の負担が大きかったが、この実施の形態に係る獣医科用手術台１０では、二重天板ユニット２０を取り外して洗浄を行うことを可能としたので、手術台の洗浄作業の負担が軽減される。さらに二重天板ユニット２０の乾燥なども容易になる。さらに、この実施の形態に係る獣医科用手術台１０では、梁材３２の内部に図示していない回路基板などを設けているが、二重天板ユニット２０を取り外すと、梁材３２の内部に設けたものに対するメンテナンスを容易に行えるという利点もある。
【００４２】
なお、梁材の両端部から立ち上がる２本の支柱の上端部に水平軸受をそれぞれ設け、二重天板ユニットにこれらの水平軸受に接続する支持体を設ける、つまり、矩形水平枠を省略した構成とすることも可能である。この場合は、水平軸受から支持体を着脱可能とすれば、二重天板ユニットを分離した状態で二重天板ユニットの洗浄等を行うことも可能である。ただし、２本の支柱で二重天板ユニットを支持するので、二重天板ユニットを安定的に支持するという観点からは、この実施の形態に係る獣医科用手術台のように４つの支柱材で支持する構成の方が望ましいと言える。
【００４３】
以上のように、獣医科用手術台１０は、二重天板ユニット２０の下部天板２３及び上部天板２１の中心に対して偏心している垂直軸を中心として上部天板２１を偏心回転させるので、上部天板２１を所定の角度範囲回転させたときに、下部天板２３など他の構成部材が存在しない空間が上部天板２１の下方にできる。したがって、この状態において、患者動物を上部天板２１に載置し、移動式Ｘ線透視診断装置のＣアームの先端部を患者動物の上方及び下方に位置させることによって、伸縮脚などに阻害されることなくＸ線透視を行うことが容易にできる。また、上部天板２１を回転させると、上部天板２１と重なり合っていた下部天板２３が現れてくるので、下部天板２３上に手術や処置に必要な器具等を置くことができ、獣医師の作業効率を向上することができる。くわえて、上部天板２１を３６０度回転できるので、獣医科用手術台１０の周辺のスペースをＸ線透視だけでなく様々な形で活用できる。さらに、上部天板２１及び下部天板２３に対して垂直軸受６０を直接的に固定していないので、上部天板２１及び下部天板２３の上面からねじが突出して、患者動物の体毛がそのねじに引掛かることなどを防止することができる。くわえて、上部支持板材２６が下部天板２３に接した状態で回転するので、垂直軸受６０だけでなく、下部天板２３自体も上部天板２１、さらには上部枠２２や患者動物からの荷重を支持しているので、上部天板２１に大型犬など比較的体重が重い動物を載置した場合であっても、上部天板２１が傾斜することを防止できる、又は、傾斜を低減できる。さらに、下部天板２３が上部枠２２と軽く接した状態にあるので、下部天板２３は上部支持板材２６に接している部分だけでなく、上部枠２２と接している部分も上部天板２１や患者動物からの荷重を支持しているので、上部天板２１の傾斜をさらに確実に防止又は低減できる。くわえて、上部天板２１に大型犬など比較的体重が重い動物を載置した場合に、支持脚５０を伸ばし、上部天板２１や患者動物からの荷重を支持脚でも支持することによって、上部天板２１が傾斜することを防止できる。上部天板２１及び下部天板２３を略長円形状に形成することによって、獣医師が上部天板２１及び下部天板２３の周囲を移動するときに天板の角で移動が阻害されることがない。また、伸縮脚３０及び３１に支持された矩形水平枠２７を設けて、下部枠２４を矩形水平枠２７に対して着脱可能にしているので、二重天板ユニットを取り外して上部天板２１及び下部天板２３の洗浄や各種メンテナンス作業を行うことが容易になる。また、固定ねじ２９ａ、２９ｂ、２９ｃ及び２９ｄを回すだけで着脱できるので、着脱作業自体も短時間のうちに簡単に実行できる。さらに、伸縮脚３０及び３１が矩形水平枠２７を昇降可能に間接的に支持し、さらに水平軸受３３及び３４が矩形水平枠２７を水平軸を中心として回転可能に間接的に支持しているので、上部天板２１及び下部天板２３を昇降させ、又は、所定の角度に傾斜させることができ、患者動物の体幹部などを所定の方向に向けて保定することが容易になり、獣医師の負担を軽減できる。移動式Ｘ線透視診断装置を使用するための台を別途用意する必要がないので、別の台を配置するスペースを他の用途に活用できる。
【００４４】
なお、本発明は、以上に説明した各実施の形態の説明内容に限定されるものではなく、例えば垂直軸受を上部天板と下部天板とのいずれか一方又は両方に直接的に設けるなど、各請求項に記載した範囲を逸脱しない限りにおいて、種々の形態に変えることが可能である。
【符号の説明】
【００４５】
１０    獣医科用手術台
２０    二重天板ユニット
２１    上部天板
２２    上部枠
２２ａ  内周側部分
２２ｂ  外周側部分
２３    下部天板
２４    下部枠
２５    ロックレバー
２６    上部支持板材
２６ａ  円形開口部
２６ｂ  円形開口部
２７    矩形水平枠
２７ａ  長辺部
２７ｂ  長辺部
２７ｃ  短辺部
２７ｄ  短辺部
２８ａ  支柱材
２８ｂ  支柱材
２８ｃ  支柱材
２８ｄ  支柱材
２９ａ  固定ねじ
２９ｂ  固定ねじ
２９ｃ  固定ねじ
２９ｄ  固定ねじ
３０    伸縮脚
３１    伸縮脚
３２    梁材
３３    水平軸受
３４    水平軸受
３５    載置板
３５ａ  容器保持開口部
３６    脚接続部材
３７    脚接続部材
３８    枠部材
３９    枠部材
４０    伸縮機構
４１    伸縮機構
４２    アクチュエータ
４３    アクチュエータ
４４ａ  支持部材
４４ｂ  支持部材
４５ａ  キャスタ
４５ｂ  キャスタ
４５ｃ  キャスタ
４５ｄ  キャスタ
４６    汚物容器
５０    支持脚
５１    上部支柱材
５２    下部支柱材
５３    ボールキャスタ
５４    クランプ
５５    上部接続板材
５６    ねじ
５７    ねじ
５８    下部支持板材
５９ａ  ロープ固定具
５９ｂ  ロープ固定具
６０    垂直軸受
６１    内輪
６２    外輪
６３    ボールころ
６４    ねじ
６５    ねじ
６６    床面
８０    診療台
８１    基台
８２    診療テーブル
８３    昇降機構
８４    フットスイッチ
８５    ベース基板
８６    回転ペダル
８７    体重計表示部
【図１】
2015204993.tif 000003
【図２】
2015204993.tif 000004
【図３】
2015204993.tif 000005
【図４】
2015204993.tif 000006
【図５】
2015204993.tif 000007
【図６】
2015204993.tif 000008
【図７】
2015204993.tif 000009
【図８】
2015204993.tif 000010
【図９】
2015204993.tif 000011
【図１０】
2015204993.tif 000012
【図１１】
2015204993.tif 000013